【手続補正書】
【提出日】平成19年11月8日(2007.11.8)
【手続補正１】
【補正対象書類名】特許請求の範囲
【補正対象項目名】全文
【補正方法】変更
【補正の内容】
【特許請求の範囲】
【請求項１】
有機発光素子を有する画素が形成された表示装置において、
階調に応じた電圧値を出力する電圧出力部と、
前記階調に応じた電流値を出力する電流出力部とを具備し、
１水平走査期間において、
第１の期間では、前記電圧出力部による出力が前記画素に印加され、
第２の期間では、前記電流出力部による出力が前記画素に印加されることを特徴とする有機発光素子を用いた表示装置。
【請求項２】
前記階調が、第１の階調値より大きい場合には、前記第１の期間及び前記第２の期間において、前記電流出力部による出力が前記画素に印加され、
前記階調が、前記第１の階調値以下の場合には、前記第１の期間において、前記電圧出力部による出力が前記画素に印加され、前記第２の期間において、前記電流出力部による出力が前記画素に印加されることを特徴とする請求項１記載の有機発光素子を用いた表示装置。
【請求項３】
前記画素の前に書き込みを行った階調信号である第２の階調値によって、前記第１の期間において、前記電圧出力部による出力もしくは前記電流出力部による出力の一方を選択することを特徴とする請求項１記載の有機発光素子を用いた表示装置。
【請求項４】
垂直ブランキング期間の検出手段を具備し、
前記検出手段により前記垂直ブランキング期間後の初めに入力される第１の階調信号を検出し、
前記第１の階調信号に対応する出力は、
前記第１の期間において前記電圧出力部による出力を行うことを特徴とする請求項１記載の有機発光素子を用いた表示装置。
【請求項５】
有機発光素子を有する画素に、階調に応じた電流を供給する階調表示用電流源と、
垂直ブランキング期間検出手段とを具備し、
前記垂直ブランキング期間検出手段により検出された、垂直ブランキング期間では、
前記階調表示用電流源から電流出力されないことを特徴とする有機発光素子を用いた表示装置。
【請求項６】
有機発光素子を有する画素が形成された表示装置において、
表示領域における点灯割合を検出する点灯率検出手段と、
電圧出力部と、
階調に応じた電流値を出力する電流出力部とを具備し、
１水平走査期間において、
第１の期間では、前記電圧出力部による出力が前記画素に印加され、
前記第１の期間に続く第２の期間では、前記電流出力部による出力が前記画素に印加され、
前記点灯率検出手段により点灯割合が増加するにつれて、前記電圧出力部の電圧が低くなることを特徴とする有機発光素子を用いた表示装置。
【請求項７】
有機発光素子を有する画素が形成された表示装置において、
階調に応じた電流値を出力する第１の電流出力部と、
第２の電流値を出力する第２の電流出力部とを具備し、
前記階調によって、前記第１の電流出力部による電流が出力されるか、前記第１の電流出力部及び前記第２の電流出力部による電流が出力されるかが、選択出力されることを特徴とする有機発光素子を用いた表示装置。
【手続補正２】
【補正対象書類名】明細書
【補正対象項目名】発明の名称
【補正方法】変更
【補正の内容】
【発明の名称】有機発光素子を用いた表示装置
【手続補正３】
【補正対象書類名】明細書
【補正対象項目名】０００１
【補正方法】変更
【補正の内容】
【０００１】
本発明は、有機電界発光素子など、電流量により階調表示を行う有機発光素子を用いた表示装置に関する。
【手続補正４】
【補正対象書類名】明細書
【補正対象項目名】００２３
【補正方法】変更
【補正の内容】
【００２３】
上記の課題を解決するために、第１の本発明は、有機発光素子を有する画素が形成された表示装置において、
階調に応じた電圧値を出力する電圧出力部と、
前記階調に応じた電流値を出力する電流出力部とを具備し、
１水平走査期間において、
第１の期間では、前記電圧出力部による出力が前記画素に印加され、
第２の期間では、前記電流出力部による出力が前記画素に印加されることを特徴とする有機発光素子を用いた表示装置である。
【手続補正５】
【補正対象書類名】明細書
【補正対象項目名】００２４
【補正方法】変更
【補正の内容】
【００２４】
また、第２の本発明は、前記階調が、第１の階調値より大きい場合には、前記第１の期間及び前記第２の期間において、前記電流出力部による出力が前記画素に印加され、
前記階調が、前記第１の階調値以下の場合には、前記第１の期間において、前記電圧出力部による出力が前記画素に印加され、前記第２の期間において、前記電流出力部による出力が前記画素に印加されることを特徴とする第１の本発明の有機発光素子を用いた表示装置である。
【手続補正６】
【補正対象書類名】明細書
【補正対象項目名】００２５
【補正方法】変更
【補正の内容】
【００２５】
また、第３の本発明は、前記画素の前に書き込みを行った階調信号である第２の階調値によって、前記第１の期間において、前記電圧出力部による出力もしくは前記電流出力部による出力の一方を選択することを特徴とする請求項１記載の有機発光素子を用いた表示装置である。
【手続補正７】
【補正対象書類名】明細書
【補正対象項目名】００２６
【補正方法】変更
【補正の内容】
【００２６】
また、第４の本発明は、垂直ブランキング期間の検出手段を具備し、
前記検出手段により前記垂直ブランキング期間後の初めに入力される第１の階調信号を検出し、
前記第１の階調信号に対応する出力は、
前記第１の期間において前記電圧出力部による出力を行うことを特徴とする請求項１記載の有機発光素子を用いた表示装置である。
【手続補正８】
【補正対象書類名】明細書
【補正対象項目名】００２７
【補正方法】変更
【補正の内容】
【００２７】
また、第５の本発明は、有機発光素子を有する画素に、階調に応じた電流を供給する階調表示用電流源と、
垂直ブランキング期間検出手段とを具備し、
前記垂直ブランキング期間検出手段により検出された、垂直ブランキング期間では、
前記階調表示用電流源から電流出力されないことを特徴とする有機発光素子を用いた表示装置である。
【手続補正９】
【補正対象書類名】明細書
【補正対象項目名】００２８
【補正方法】変更
【補正の内容】
【００２８】
また、第６の本発明は、有機発光素子を有する画素が形成された表示装置において、
表示領域における点灯割合を検出する点灯率検出手段と、
電圧出力部と、
階調に応じた電流値を出力する電流出力部とを具備し、
１水平走査期間において、
第１の期間では、前記電圧出力部による出力が前記画素に印加され、
前記第１の期間に続く第２の期間では、前記電流出力部による出力が前記画素に印加され、
前記点灯率検出手段により点灯割合が増加するにつれて、前記電圧出力部の電圧が低くなることを特徴とする有機発光素子を用いた表示装置である。
【手続補正１０】
【補正対象書類名】明細書
【補正対象項目名】００２９
【補正方法】変更
【補正の内容】
【００２９】
また、第７の本発明は、有機発光素子を有する画素が形成された表示装置において、
階調に応じた電流値を出力する第１の電流出力部と、
第２の電流値を出力する第２の電流出力部とを具備し、
前記階調によって、前記第１の電流出力部による電流が出力されるか、前記第１の電流出力部及び前記第２の電流出力部による電流が出力されるかが、選択出力されることを特徴とする有機発光素子を用いた表示装置である。
【手続補正１１】
【補正対象書類名】明細書
【補正対象項目名】００３０
【補正方法】削除
【補正の内容】
【手続補正１２】
【補正対象書類名】明細書
【補正対象項目名】０２２０
【補正方法】変更
【補正の内容】
【０２２０】
本発明に係る有機発光素子を用いた表示装置は、階調に応じた電圧を用意することで電流による階調表示が難しい低階調領域でも階調表示を行うことが可能となり、有機電界発光素子など、電流量により階調表示を行う表示装置として有用である。